(57)【要約】【課題】  開閉動作における遊技球の挟み込みや意図しない入賞を抑制するよう入賞口に振り分けることのできる入賞装置の提供。【解決手段】  略水平面上を転動する遊技球の進行方向を変化させて入賞口に振り分ける入賞装置である。遊技球を転動させて流下させる傾斜通路と、この途中に設けられた分岐部で側方に分岐し振り分けられた入賞球を検知するセンサを与えられた分岐通路と、を有し、分岐部において、傾斜通路を転動してくる遊技球をそのまま転動させる待避位置と分岐通路に遊技球を振り分けるよう分岐部に突出する突出位置との間で傾斜通路上に出没する可動部材を備え、可動部材は、遊技球の転動してくる側に対向する衝突面を分岐通路側に向けて傾斜させていることを特徴とする【選択図】図３
2019111119.tif 000002
【特許請求の範囲】
【請求項１】
略水平面上を転動する遊技球の進行方向を変化させて入賞口に振り分ける入賞装置であって、
前記遊技球を転動させて流下させる傾斜通路と、この途中に設けられた分岐部で側方に分岐し振り分けられた入賞球を検知するセンサを与えられた分岐通路と、を有し、
前記分岐部において、前記傾斜通路を転動してくる前記遊技球をそのまま転動させる待避位置と前記分岐通路に前記遊技球を振り分けるよう前記分岐部に突出する突出位置との間で前記傾斜通路上に出没する可動部材を備え、
前記可動部材は、前記遊技球の転動してくる側に対向する衝突面を前記分岐通路側に向けて傾斜させていることを特徴とする入賞装置。
【請求項２】
前記可動部材は前記傾斜通路の底面から昇降し前記分岐部に突出することを特徴とする請求項１記載の入賞装置。
【請求項３】
前記傾斜通路は樋状であることを特徴とする請求項２記載の入賞装置。
【請求項４】
前記分岐通路は窓部を介して前記傾斜通路に接続されていることを特徴とする請求項３記載の入賞装置。
【請求項５】
前記センサは前記遊技球の前記窓部の通過を検知することを特徴とする請求項４記載の入賞装置。
【請求項６】
前記分岐部における前記通路の底面は上流側の底面よりも低くなる段差を有することを特徴とする請求項１乃至５のうちの１つに記載の入賞装置。
【発明の詳細な説明】
【技術分野】
【０００１】
本発明は、略水平面上を転動する遊技球の進行方向を変化させて入賞口に振り分ける弾球遊技機の入賞装置に関し、特に、遊技球の意図しない入賞を抑制するよう入賞口に振り分けることのできる入賞装置に関する。
【背景技術】
【０００２】
弾球遊技機には、遊技球を入賞しやすくさせるよう動作する大入賞口などの各種入賞装置が設けられる。例えば、大入賞口は通常時に遊技球を入賞させないように閉鎖されており、特定の条件を満たすことで遊技球を入賞させやすくするように開放される。これによって、遊技球の入賞を促して賞球の払い出しを促進させ、遊技者にとって有利な状態を演出することができる。
【０００３】
例えば、特許文献１では、開閉扉を有する入賞装置を開示している。入賞装置は横長で長方形の遊技盤面に設けられた開口を備え、開閉扉はかかる開口を閉塞している。開閉扉は開口の下縁に軸支されており、アクチュエータによってその上端を前方に移動させるように回動し、開口を開放して遊技球の入賞を促すことができる。
【０００４】
ところで、入賞装置は、大入賞口として用いられる場合など、その内部で所定個数の遊技球の入賞を検知すると開放状態から閉塞状態に移行するように動作する。上記したような遊技盤面に開閉扉を設けた入賞装置では、遊技球を不規則な経路で落下させて、開放状態でも遊技球をこぼしてしまったり、閉塞状態に移行する直前に複数の遊技球を同時に入賞させてしまうと、意図しない入賞となって入賞個数を不安定にカウントさせてしまう。そこで、このような遊技球の意図しない入賞を抑制する工夫もなされている。
【０００５】
例えば、特許文献２では、遊技球を受け入れる入球開口を遊技盤面に沿って下方に向けて延ばした枠体を備え、枠体に受け入れた遊技球の径路を限定して開放状態で確実に遊技球を入賞口に導く入賞装置を開示している。かかる枠体には、入球開口内に突出させる板状の球誘導体が備えられる。球誘導体は遊技盤面の前方へ向けて略水平に突出した誘導位置においてその上面で入球開口から受け入れた遊技球を左右のうちの一方に設けられた入賞口まで誘導し、他方、後方へ退避した通過位置において受け入れた遊技球を下方へ通過させて排出する。このように、枠体によって遊技球の落下経路を安定させ得る。また、この球誘導体の動作に連動して開閉する開閉部材を入賞口の上流側に設けており、通過位置における意図しない遊技球の入賞を抑制している。
【先行技術文献】
【特許文献】
【０００６】
【特許文献１】特開２００１−１７２２７１号公報
【特許文献２】特開２００５−２１３５８９号公報
【発明の概要】
【発明が解決しようとする課題】
【０００７】
上記したように遊技球の意図しない入賞を抑制する機能を与えられた入賞装置において、開閉扉などの遊技球の入賞の可否を切り替える機構部分は、遊技球の入賞を検知する入賞口よりも上流に設けられる。そのため、入賞か否かの振り分けから入賞の検知までのタイムラグが発生し、意図しない入賞を完全に排除することは難しい。
【０００８】
本発明は、以上のような状況に鑑みてなされたものであって、その目的とするところは、略水平面上を転動する遊技球の進行方向を変化させて入賞口に振り分ける入賞装置において、遊技球の振り分けから入賞の検知までのタイムラグによる意図しない入賞を抑制するよう入賞口に振り分けることのできる入賞装置を提供することにある。
【課題を解決するための手段】
【０００９】
本発明による入賞装置は、略水平面上を転動する遊技球の進行方向を変化させて入賞口に振り分ける入賞装置であって、前記遊技球を転動させて流下させる傾斜通路と、この途中に設けられた分岐部で側方に分岐し振り分けられた入賞球を検知するセンサを与えられた分岐通路と、を有し、前記分岐部において、前記傾斜通路を転動してくる前記遊技球をそのまま転動させる待避位置と前記分岐通路に前記遊技球を振り分けるよう前記分岐部に突出する突出位置との間で前記傾斜通路上に出没する可動部材を備え、前記可動部材は、前記遊技球の転動してくる側に対向する衝突面を前記分岐通路側に向けて傾斜させていることを特徴とする。
【００１０】
かかる発明によれば、振り分けを行う分岐部からセンサまでの入賞球の移動が衝突面によって速やかに行われ、振り分けから入賞の検知までのタイムラグを小さくでき、意図しない入賞を抑制できる。
【００１１】
上記した発明において、前記可動部材は前記傾斜通路の底面から昇降し前記分岐部に突出することを特徴としてもよい。また、上記した発明において、前記傾斜通路は樋状であることを特徴としてもよい。かかる発明によれば、可動部材の出没が遊技球によって阻害されず、スムーズに動作できる。
【００１２】
上記した発明において、前記分岐通路は窓部を介して前記傾斜通路に接続されていることを特徴としてもよい。また、上記した発明において、前記センサは前記遊技球の前記窓部の通過を検知することを特徴としてもよい。かかる発明によれば、分岐通路に振り分けられた入賞球を迅速に検知できて、上記したタイムラグをより小さくできる。
【００１３】
上記した発明において、前記分岐部における前記通路の底面は上流側の底面よりも低くなる段差を有することを特徴としてもよい。かかる発明によれば、衝突面に衝突した入賞球が傾斜通路を逆行して進むことを防止できる。
【図面の簡単な説明】
【００１４】
【図１】本発明による１つの実施例における入賞装置の正面図である。
【図２】前方壁を除いた入賞装置の斜視図である。
【図３】入賞装置の要部の斜視図である。
【図４】昇降部材の（ａ）正面側及び（ｂ）背面側の斜視図である。
【図５】入賞装置の平面図である。
【図６】入賞装置の駆動機構の背面図である。
【図７】入賞装置の駆動機構の背面図である。
【発明を実施するための形態】
【００１５】
本発明による１つの実施例としての入賞装置について、図１乃至図７を用いて説明する。
【００１６】
図１に示すように、入賞装置１は、例えば、大当たり動作時に右打ちで遊技球の入賞を促進させる弾球遊技機において、遊技盤５０（図５参照）の右側に設置する大入賞口（アタッカー）を備える入賞装置として使用され得る。すなわち、大当たり動作中に遊技球の入賞のあった場合に大入賞口を開放するための始動入賞口２と、右側上方から進入する遊技球を受け入れる進入口３と、進入口３に進入した遊技球を左側に向けて導くように略水平面上で左側（下流側）を低くする傾斜を有する通路４と、通路４の前方（手前側）を区画する前方壁である前板５とを含む。前板５は、通路４の右側部分の前方において欠けており、通路４に進入した遊技球を遊技者から見やすくしている。なお、通路４には、図示するような下流側を低くする段差を設けることもできる。
【００１７】
図２に示すように、通路４は台板１１の下方を前方に突出させた段差によってその底面を形成されており、後方（奥側）を台板１１による側壁で区画されている。つまり、通路４はかかる側壁と前板５とによって側面を区画された樋状の通路である。台板１１の正面視やや左寄りの位置において、通路４の側方（後方）に開口する窓部からなる入賞口１２が設けられる。また、通路４の左端は、遊技球を入賞装置から排出する排出口７とされる。つまり、入賞口１２は通路４に接続されるとともに、その正面の通路４上の部分を分岐部４ｂとして、かかる分岐部４ｂから後方（通路４の側方）に向けて分岐される分岐通路に接続される。入賞口１２のさらに後方には、この分岐通路に連通させるとともに台板１１の裏面に近接させるように通過型近接スイッチからなるセンサ１２ａが設けられ、入賞口１２を通過する遊技球である入賞球を検知することができる。
【００１８】
台板１１は、分岐部４ｂにおける通路４の底面の一部を欠くとともに、その下側に続く正面部分において、後方へ向けて開口する正面視で縦長の略長方形の切欠き部４ａを備える。
【００１９】
図３を併せて参照すると、切欠き部４ａの内部及び後方には、切欠き部４ａに沿って上下にスライド可能な柱状の本体部６１を有する可動部材である昇降部材６が設けられ、本体部６１によって切欠き部４ａを埋めるように配置されている。つまり、昇降部材６の本体部６１は、分岐部４ｂに備えられる。また、昇降部材６は、切欠き部４ａの内部に収容される本体部６１に連続して台板１１の裏面側で通路の下流側に向けて延長された延長部６２を備える（図４参照）。台板１１の切欠き部４ａの下流側において、通路４の下側及び上側には、それぞれ鉛直方向に延びる長穴１３ａ及び１３ｂが設けられており、延長部６２から手前側に突出する摺動ピン６４ａ及び６４ｂをそれぞれ後方から挿通させている。これによって、延長部６２とともに昇降部材６を長穴１３ａ及び１３ｂに沿って上下にスライド可能としている。すなわち、昇降部材６は、上昇して通路４の底面から本体部６１を上方に突出させた突出位置（図２参照）と、下降して上端面６３を通路４の底面と略面一に配置した待避位置（図３参照）との間でスライド可能である。つまり、昇降部材６の本体部６１は通路４上の底面から昇降し分岐部４ｂに突出するよう出没可能である。なお、待避位置にあるときに、上端面６３は、通路４の底面とともに遊技球の転動する転動面となる。
【００２０】
なお、昇降部材６を退避位置に位置させたときに、転動面６３は分岐部４ｂの底面である分岐部底面１４に対して若干低くなるようにされることが好ましい。これによって、待避位置での昇降部材６の若干の位置ずれに対しても遊技球を確実に下流側に導き、入賞口１２への意図しない入賞を抑制できる。また、分岐部底面１４は、通路４の上流側の底面に対して段差を有して低くなっていることが好ましい。昇降部材６を突出位置に位置させたときに昇降部材６に衝突した遊技球の逆流を防止して速やかに入賞口１２に導くことができる。なお、入賞口１２の上方には、入賞口１２と連通するように上方に延びるガイド穴１５が設けられ、後述するように回動する閉塞部材３０のガイドとなる。
【００２１】
図４に示すように、昇降部材６は、延長部６２を通路４の形成された台板１１の段差の裏面形状に合わせた段付き形状とさせており、かかる段よりも下方の下延長部６２ａに上記した摺動ピン６４ａを備え、上方の上延長部６２ｂに上記した摺動ピン６４ｂを備えている。摺動ピン６４ａの側部及び摺動ピン６４ｂの下部には、それぞれ手前側に突出して上下に延びる突条６５ａ及び６５ｂが備えられ、台板１１の裏面との摺動において抵抗を減じるようになされている。
【００２２】
また、下延長部６２ａ及び上延長部６２ｂのそれぞれの背面側には後方へ向けて突出する下ピン体６６及び上ピン体６７が備えられる。下ピン体６６は、後述する揺動部材２０（図６参照）に係合し、昇降部材６を昇降させる駆動力を付与される。また、上ピン体６７は、後述する閉塞部材３０に下から当接して閉塞部材３０に駆動力を付与することができる。
【００２３】
図５を併せて参照すると、昇降部材６の本体部６１の上流側には、衝突面６９が備えられる。衝突面６９は、通路４の上流（右側）に対向するとともに、分岐通路の入口である入賞口１２に向けて傾斜させた平面である。これによって、通路４上を上流から転動してきた遊技球Ｂは、衝突面６９に衝突することで入賞口１２へ向けて反射されるように移動の向きを変え、転動する速度を大きく低下させることなく入賞し、そのままセンサ１２ａに入賞口１２の通過を検知されることになる。なお、衝突面６９は、遊技球Ｂの移動の向きを入賞口１２へ向けて変えることのできるものであれば、例えば曲面などの他の形状の面であってもよい。また、衝突面６９は、遊技球Ｂを衝突させるために、昇降部材６を突出位置に配置させたときに、通路４の底面から遊技球の半径の高さに位置するようにされる。ここで、昇降部材６の上下動のストロークが小さいほど、駆動機構を小さくできて好ましいため、衝突面６９の高さ、すなわち昇降部材６の上端面６３の高さは通路４の底面から遊技球の半径を超える高さにするとともに半径に近い高さとすることが好ましい。つまり、衝突面６９としては、昇降部材６の上端近傍にだけ設けられていれば、これより下側部分を遊技球に当接しない範囲で任意の形状とし得る。また、分岐部底面１４の下流側端部の形状は、昇降部材６との隙間を小さくするよう衝突面６９の上流側端部の形状に倣うようにされている。
【００２４】
なお、入賞装置１は、遊技盤５０の手前側の面である遊技盤面５０ａと台板１１の主面とを略面一に配置させるように遊技盤５０に挿通されるようにして取り付けられている。
【００２５】
図６に示すように、昇降部材６の背面側には下ピン体６６に係合する揺動部材２０が備えられる。揺動部材２０は、遊技盤面５０ａに直行する揺動軸Ｚ１の周りに回動可能であり、下ピン体６６に係合させるように揺動軸Ｚ１から左（紙面右）に向けて延びる第１アーム２１と、揺動軸Ｚ１から上方に向けて延びる第２アーム２２とを含む。第１アーム２１の先端部２１ａは、左（紙面右）方向に開口する二股状部であり、下ピン体６６を左右方向にスライド自在に保持するようにして係合している。つまり、揺動部材２０の揺動によって下ピン体６６は上下に移動され、これによって昇降部材６を昇降させ、通路４上に本体部６１を出没させ得る。なお、揺動部材２０の第１アーム及び第２アームが互いに鋭角をなしていると、揺動による移動範囲を小さくできて、入賞装置１をコンパクトにし得て好ましい。
【００２６】
また、揺動部材２０の第２アーム２２は、その先端部２２ａを上方に向けて開口する二股形状としており、後方（紙面手前）に向けて延びるプランジャ側ピン体４３をスライド自在に保持するようにして係合している。プランジャ側ピン体４３は、アクチュエータであるソレノイド４０の本体４０ａから延びるプランジャ４１の先端に取り付けられたプランジャヘッド４２の一部であり、プランジャ４１の移動に伴って本体４０ａに対して往復動できる。つまり、ソレノイド４０を駆動させることで、プランジャヘッド４２を介して揺動部材２０を揺動させて、これによって昇降部材６を上下にスライドさせることができる。
【００２７】
また、昇降部材６の上方で、入賞口１２とセンサ１２ａとの間には、さらに、上ピン体６７に接することのできる閉塞部材３０が設けられる。閉塞部材３０は、一端部を遊技盤面５０ａに直行する回動軸Ｚ２に軸支され、他端部である先端部３１を下降させて入賞口１２を塞ぐ閉塞位置と、先端部３１をガイド穴１５に沿って上昇させて入賞口１２を開放する開放位置との間で回動軸Ｚ２の周りに回動可能である。そして、閉塞部材３０は、先端部３１と回動軸Ｚ２との間に上ピン体６７に下から当接されるよう上に向けて凹んだ当接部３２を備える。これにより、閉塞部材３０は、昇降部材６の上昇に伴って上ピン体６７から当接部３２に駆動力を受けて開放位置まで回動することができる。また、閉塞部材３０は、昇降部材６の下降に伴い自重によって閉塞位置まで回動することができる。なお、先端部３１の前方側にはガイド穴１５内に沿って移動するように前方（紙面奥側）に向けて突出した突出部３１ａ（図３参照）を備える。
【００２８】
次に、入賞装置１の昇降部材６及び閉塞部材３０の動作について、図６及び図７を用いて説明する。
【００２９】
図６に示すように、昇降部材６は本体部６１の上端面６３（図３参照）を通路４の底面に略面一に配置した待避位置にある。このとき、ソレノイド４０はプランジャ４１を左方（紙面右方）に突出させてプランジャヘッド４２を本体４０ａから離して位置させている。この場合、通路４を転動してきた遊技球は昇降部材６の上端面６３の上を転動して通過するため、通路４上をそのまま転動し、排出口７（図２参照）から排出される。つまり、入賞口１２に向けては振り分けられない。また、閉塞部材３０は、先端部３１を下降させて入賞口１２を閉塞する閉塞位置にあり、例えば通路４へのごみの付着などによって遊技球に異常な転動を発生した場合でも入賞口１２への入賞を防ぐことができる。
【００３０】
図７に示すように、ソレノイド４０によってプランジャ４１をソレノイド４０の本体４０ａ側（紙面左側）へ引き寄せると、プランジャ４１に取り付けられたプランジャヘッド４２も本体４０ａ側へ引き寄せられる。すると、プランジャヘッド４２のプランジャ側ピン体４３を本体４０ａ側へ引き寄せて、第２アーム２２とともに揺動部材２０を背面視（紙面上）で反時計回りに回動させる。これに伴い、揺動部材２０の第１アーム２１もその先端部２１ａを上方に移動させるように回動する。これによって、先端部２１ａに保持された下ピン体６６とともに、昇降部材６が上昇し、本体部６１を通路４上に突出させた突出位置に配置される。
【００３１】
さらに、昇降部材６の上昇に伴い上ピン体６７を上昇させて、閉塞部材３０の当接部３２に当接させながら背面視（紙面上）で時計回りに閉塞部材３０を回動させて開放位置まで移動させる。
【００３２】
このとき、通路４を転動してきた遊技球は、昇降部材６の衝突面６９によって入賞口１２に向けて反射されるように移動方向を変えられて入賞口１２に入賞するとともに、センサ１２ａを速やかに通過して入賞を検知される。つまり、遊技球を入賞口１２に振り分けることができる。
【００３３】
さらに、所定個数の遊技球の入賞を検知した場合など、昇降部材６を退避位置に戻す場合には、ソレノイド４０の本体４０ａからプランジャ４１を突出させてプランジャ側ピン体４３を介して揺動部材２０を背面視（紙面上）で時計回りに回動させる。これによって昇降部材６を下降させ退避位置に配置させる。これに伴い上ピン体６７も下降するので、上ピン体６７に下から当接されていた閉塞部材３０が自重で回動してその先端部３１を下降させて入賞口１２を閉塞することができる。
【００３４】
以上のように、入賞装置１によれば、昇降部材６を突出位置に配置したときに衝突面６９によって遊技球を入賞口１２へ向けて反射させるように移動方向を変化させて、遊技球の速度を極端に低下させることなく速やかに入賞口１２に導くことができる。これによって昇降部材６で分岐部４ｂにおいて遊技球を通路４から分岐させたときに、かかる分岐からセンサ１２ａで入賞を検知するまでのタイムラグを小さくできて、意図しない遊技球の入賞を抑制できる。また、昇降部材６は、その本体部６１を通路４の分岐部４ｂの底面から出没させるので、本体部６１と他の部材との間に遊技球を挟み込むような隙間が存在しない。つまり、入賞装置１の開閉動作である本体部６１の出没によっては遊技球を部材間に挟み込んでしまうことがない。
【００３５】
なお、昇降部材６の突出位置から退避位置への移動中や、昇降部材６を退避位置に配置しているときでも上記したようにゴミなどによって、ごく希にではあるが、遊技球が入賞口１２に導かれてしまう可能性も考慮される。これに対しては、閉塞部材３０を設けたことで、意図しない遊技球の入賞をさらに抑制できる。閉塞部材３０については、その下側に仮に遊技球を挟み込んでしまっても、閉塞位置への回動を自重によって行うため、挟み込む力も弱く、簡単に解除される。
【００３６】
なお、昇降部材６の代わりに、通路４の上方や後方から出没する可動部材に同様の衝突面を備えるようにしても入賞口に振り分けた遊技球である入賞球の振り分けから検知までのタイムラグを小さくできる。
【００３７】
ここまで本発明による代表的実施例及びこれに基づく改変例を説明したが、本発明は必ずしもこれに限定されるものではなく、当業者であれば、本発明の主旨又は添付した請求項の範囲を逸脱することなく種々の代替実施例及び改変例を見出すことができるであろう。
【符号の説明】
【００３８】
１    入賞装置
４    通路
６    昇降部材（可動部材）
１２    入賞口（窓部）
６３    上端面（転動面）
６９    衝突面
【図１】
2019111119.tif 000003
【図２】
2019111119.tif 000004
【図３】
2019111119.tif 000005
【図４】
2019111119.tif 000006
【図５】
2019111119.tif 000007
【図６】
2019111119.tif 000008
【図７】
2019111119.tif 000009